(57)【特許請求の範囲】
【請求項１】
それぞれ分割コアを内装支持してヒンジにより開閉可能に構成され、閉じたときに両当接部が当接されて中央にケーブル挿通孔を有する筒状の容器を構成する第１と第２の分割ケースを備えるノイズ吸収装置であって、前記第１分割ケースの当接部にはケーブル挿通孔よりも第２分割ケースに近い側の部位から周方向に突出される第１突出片を備え、前記第２分割ケースの当接部にはケーブル挿通孔よりも第１分割ケースに近い側の部位から周方向に突出される第２突出片を備え、前記第１突出片と前記第２突出片はケーブルを挿通する前の状態において筒軸方向に重なるように構成され、前記第２突出片は、前記第１分割ケースに近い側の領域が反対側の領域よりも突出寸法が大きいことを特徴とするノイズ吸収装置。
【請求項２】
前記第１突出片と前記第２突出片はそれぞれ前記第１と第２の分割ケースのケーブル挿通孔を挟んだ両側に設けられ、少なくとも前記第１の分割ケースに近い側の第２突出片の先端縁は、突出寸法の最も大きい部位が前記第１分割ケースに近い側に偏った位置にあることを特徴とする請求項１に記載のノイズ吸収装置。
【請求項３】
前記第２突出片は、前記第１と第２の分割ケースで構成される容器の径方向の外側の領域が、前記第２分割ケースの周壁面よりも外径方向に突出されていることを特徴とする請求項２に記載のノイズ吸収装置。
【請求項４】
前記第１突出片は、前記第２分割ケースの当接部を前記第１分割ケースの当接部に当接させるための逃げ部を備えることを特徴とする請求項１ないし３のいずれかに記載のノイズ吸収装置。
【請求項５】
前記第２分割ケースには、内装支持した分割コアとの間に前記第１突出片を収容するための間隙が設けられていることを特徴とする請求項４に記載のノイズ吸収装置。
【発明の詳細な説明】
【技術分野】
【０００１】
本発明は電子機器のケーブル（電線）に流れるノイズ（雑音電流）を吸収して当該ノイズによる電子機器の誤動作を防止するためのノイズ吸収装置に関し、特にケーブルをノイズ吸収装置に装着する際の作業性を改善したノイズ吸収装置に関するものである。
【背景技術】
【０００２】
この種のノイズ吸収装置として特許文献１に記載のノイズ吸収具が提案されている。このノイズ吸収具は、円筒状のフェライトを軸方向に半分に分割したフェライトコアを各々分割コアケースに嵌め込み、電子機器に接続されるケーブルをその両側から分割コアケースごとフェライトコアで挟むようにして電線に装着する構成である。また、特許文献１では、ノイズ吸収装置に対してケーブル、特に複数本の細線を束ねたケーブルを装着する際に、ケーブルの一部が分割コアケースないしはフェライトコア間の接合端面間に挟み込まれることを防止するために、両分割コアケースの接合端部に先端部が円弧状をした突出部を設け、これらの突出部は両分割コアケースの開閉の全領域において厚さ方向に干渉するように設けた構成がとられている。
【先行技術文献】
【特許文献】
【０００３】
【特許文献１】特許第３１５６７４０号公報
【発明の概要】
【発明が解決しようとする課題】
【０００４】
特許文献１のノイズ吸収装置では、引用文献１の図２および図４（ａ）に示すように、両分割コアケースの全開角度が９０度程度の場合にはそれぞれの突出部が厚さ方向に干渉してケーブルの挟み込みを防止することは可能である。しかし、実際にこのノイズ吸収装置を樹脂成型により製造する際には、型抜きの関係から両分割コアケースは１８０度の全開角度の状態、すなわち両分割コアケースが直線方向に並んだ状態で成型される。そのため、仮に特許文献１のノイズ吸収装置をこのような成型により製造した場合には、両分割コアケースは９０度以上の角度に開いた状態になることは避けられない。また、両分割コアケースを開いたときに、両分割コアケース連結しているヒンジが真直状態になる両分割コアケースが互いに離れる方向に移動される。そのため、両分割コアケースを開いたときには両突出部が厚さ方向に干渉しなくなり、ケーブルの挟み込みを防止する機能が発揮されなくなる。
【０００５】
さらに、特許文献１のノイズ吸収装置は、両分割コアケースの突出部が厚さ方向に干渉する角度を大きくするために、両突出部を可能な範囲で大きなサイズに形成している。そのため、両分割コアケースを閉じたときに、一方の突出部が他方の分割コアケースに衝突してしまう状況が生じる。したがって、この突出部の衝突を避けるために他方の分割コアケースに突出部を収容するためのスリットが必要とされ、分割コアケースの構造が複雑になり、かつ成型が困難になる。
【０００６】
本発明の目的は、分割ケース（分割コアケース）が大きな角度に開いた状態でもケーブルの挟み込みを有効に防止することを可能にしたノイズ吸収装置を提供するものである。また、本発明の他の目的は両分割ケースに突出部を収容するためのスリットが不要で構造の簡易なノイズ吸収装置を提供するものである。
【課題を解決するための手段】
【０００７】
本発明のノイズ吸収装置は、それぞれ分割コアを内装支持してヒンジにより開閉可能に構成され、閉じたときに両当接部が当接されて中央にケーブル挿通孔を有する筒状の容器を構成する第１と第２の分割ケースを備えるノイズ吸収装置であって、第１分割ケースの当接部にはケーブル挿通孔よりも第２分割ケースに近い側の部位から周方向に突出される第１突出片を備え、第２分割ケースの当接部にはケーブル挿通孔よりも第１分割ケースに近い側の部位から周方向に突出される第２突出片を備え、第１突出片と第２突出片はケーブルを挿通する前の状態において筒軸方向に重なるように構成され、第２突出片は、第１分割ケースに近い側の領域が反対側の領域よりも突出寸法が大きく形成されていることを特徴とする。
【０００８】
本発明において、第１突出片と第２突出片はそれぞれケーブル挿通孔を挟んだ両側に設けられ、少なくとも第１分割ケースに近い側の第２突出片の先端縁は突出寸法の最も大きい部位が第１分割ケースに近い側に偏った位置にある構成とすることが好ましい。
【０００９】
本発明において、第１突出片は、第２分割ケースの当接部を第１分割ケースの当接部に当接させるための逃げ部を備えることが好ましい。この場合、第２分割ケースには、内装支持した分割コアとの間に第１突出片を収容するための間隙が設けられる。
【発明の効果】
【００１０】
本発明によれば、第１分割ケースと第２分割ケースを閉じてコアケースを組み立てる際に、両分割ケースの開き角度が大きい状態でも第２突出片の先端縁と第１突出片の先端縁が重なる状態とすることができ、両分割ケースにケーブルを挟み込むことを有効に防止することができる。
【００１１】
また、第１突出片に逃げ部を設けることにより、第２分割ケースにスリットを設ける必要がなくなり、分割ケースを簡易な構造に構成できる。
【図面の簡単な説明】
【００１２】
【図１】本発明のノイズ吸収装置の外観斜視図。
【図２】ノイズ吸収装置の一部を分解した斜視図。
【図３】ノイズ吸収装置の組立状態と組立前の各正面図。
【図４】ノイズ吸収装置のケーブル挟み込みを防止する作用を説明する正面図。
【図５】第１と第２の突出片の関連を説明する要部の拡大正面図。
【図６】ノイズ吸収装置の第２の実施形態の背面図。
【発明を実施するための形態】
【００１３】
次に本発明の実施形態を説明する。図１は本発明のノイズ吸収装置をケーブルに装着した状態の外観斜視図であり、円筒状に組み立てられたコアケース１は内部にフェライトコア（図１には図示されていない）を内装しており、前記コアケース１に設けられた中心孔、すなわちケーブル挿通孔にケーブルＣが挿通され、このケーブルＣを通流する電流中のノイズをフェライトコアによって吸収するようになっている。
【００１４】
図２は前記コアケース１の組み立て前の状態で、かつ１つのフェライトコア２をコアケース１から取り出した状態の外観斜視図である。フェライトコア２は円筒型のフェライトコアを径方向に２分割した半円筒状をした一対の分割コア２Ａ，２Ｂとして構成されている。各分割コア２Ａ，２Ｂは筒軸方向の両端面の外周縁に沿った一部に突部２１が形成されており、この突部２１は後述するようにケース１に設けたコア支持突起１８に係合し、コアケース１内に内装支持されたときにコアケース１からの脱落が防止されるようにするためのものである。
【００１５】
前記コアケース１は前記各分割コア２Ａ，２Ｂをそれぞれ収容可能な半円筒容器状をした一対の分割ケース１Ａ，１Ｂを備えている。各分割ケース１Ａ，１Ｂは軸方向に所要の間隔で対峙される半円環状をした一対の端壁１１ａ，１１ｂと、これら端壁１１ａ，１１ｂで挟まれ、かつ両端壁１１ａ，１１ｂの周縁に沿って延長された半円筒の周壁１２とで構成されている。ここで、各分割ケース１Ａ，１Ｂを構成している半円筒容器状の開口縁に沿った縁部を当接部Ｔと称する。そして、図２において、左側の分割ケース１Ａを第１分割ケースと称し、右側の分割ケース１Ｂを第２分割ケースと称すると、これら第１及び第２の分割ケース１Ａ，１Ｂは互いに周壁１２の対向する部位において可撓性のあるヒンジ１３によって互いに連結されており、両分割ケース１Ａ，１Ｂは当該ヒンジ１３の可撓性によって一方が他方に対して回動されて開閉状態となるように構成されている。
【００１６】
図２において、前記第１分割ケース１Ａの周壁には左側の外面に係合突起１４が設けられ、第２分割ケース１Ｂの周壁には右側の外面に前記係合突起１４に係合する係合枠部１５が設けられている。前記第１及び第２の各分割ケース１Ａ，１Ｂはほぼ同じ構造であるので、以降の説明では第２分割ケース１Ｂで代表して説明する。第２分割ケース１Ｂの周壁１２には、軸方向に対峙された対をなすスリット１６が形成され、このスリット１６で挟まれる領域が径方向内方に向けて弾性力を発揮するコア押圧片１７として形成されている。
【００１７】
また、第２分割ケース１Ｂの各端壁１１ａ，１１ｂの内面には内方に向けて所要寸法で突出したコア支持突起１８が設けられている。さらに、このコア支持突起１８を挟む両側には軸方向の内方に向けて突出された対をなすストッパ片１９が設けられている。そして、第２分割ケース１Ｂに分割コア２Ｂを内装したときに、分割コア２Ｂの突部２１がコア支持突起１８に係合され、これと同時に分割コア２Ｂの底面（周面）がコア押圧片１７によって中心方向に押圧されることで分割コア２Ｂは第２分割ケース１Ｂ内に脱落が防止された状態で内装支持されることになる。なお、コア押圧片１７による押圧力により、後述するようにコアケース１を組み立てたときに各分割コア２Ａ，２Ｂが相互に密接されることになる。
【００１８】
分割コア２Ｂがこのようにして内装されたときには、分割コア２Ｂの両端面がそれぞれストッパ片１９に当接されることにより、分割コア２Ｂは両ストッパ片１９で軸方向に挟まれた状態で、かつ分割ケース１Ｂの端壁１１ａ，１１ｂとの間に軸方向の間隙ｄを確保した状態に位置決めされることになる。第２分割ケース１Ｂに形成された間隙ｄは、後述する第１突出片１１３が収容される余裕となる。以上の構成は第１分割ケース１Ａも同様であり、分割コア２Ａを同様にして内装することができる。
【００１９】
前記第１分割ケース１Ａの一方の端壁１１ａの外面には図２の下方に向けて開口する袋状をした一対の嵌合溝部１１１が形成されており、この嵌合溝部１１１は、図示は省略するが当該コアケース１をシャーシ等に固定支持する際に用いる固定具が嵌合される。この固定具は本発明との関連が少ないので詳細な説明は省略する。また、前記第２分割ケース１Ｂの端壁１１ａの外面には軸方向に突出したバンド挿通部１１２が設けられており、図示は省略するが、挿通したケーブルＣに対して当該コアケース１を固定するためのバンドが挿通されるようになっている。このバンドについても本発明との関連が少ないので詳細な説明は省略する。
【００２０】
そして、図３（ｂ）の状態から、第２分割ケース１Ｂを第１分割ケース１Ａに対して図示の反時計方向に回動させる。このとき、ヒンジ片１１を曲げ変形しながら両分割ケースを閉じ、第２分割ケース１Ｂを第１分割ケース１Ａに対面させ、係合枠部１５と係合突起１４を係合する。これにより、図３（ｂ）に示すように、分割ケース１Ａ，１Ｂは円筒状のケース１として組み立てられる。このとき、前記ケーブル挿通孔を構成する第１分割ケース１Ａと第２分割ケース１Ｂとの間、換言すれば両分割コア２Ａ，２Ｂの凹部にケーブルＣを挿通させておくことにより、図１に示したように組み立てが完了する。
【００２１】
この組み立てた状態では、第１と第２の分割ケース１Ａ，１Ｂはそれぞれの端壁１１ａ，１１ｂと周壁１２の対向する当接部が当接されて、両分割ケース１Ａ，１Ｂで中心孔内にケーブルＣを挟持した円筒容器状のコアケース１が組み立てられる。また、この状態では、各分割ケース１Ａ、１Ｂに内装されている分割コア２Ａ，２Ｂは互いに対向面が接触されて円筒状態となり、ケーブルＣの周囲を取り囲み、ケーブルＣを通流するノイズを吸収する機能を発揮する。
【００２２】
さらに、図１〜図３に示すように、前記第１と第２の分割ケース１Ａ，１Ｂの各両側の端壁１１ａ，１１ｂには、それぞれの当接部Ｔから周方向に所要の寸法で突出された突出片１１３，１１４が一体に形成されている。すなわち、各分割ケースにおいて、ヒンジに近い側と遠い側のそれぞれに、軸方向に対をなすように合計で４つの突出片が各分割ケースに形成されている。第１分割ケース１Ａの突出片１１３を第１突出片と称し、第２分割ケース１Ｂの突出片を第２突出片１１４と称する。これら第１と第２の突出片１１３，１１４は、前記したようにケーブル挿通孔にケーブルＣを挿通させて組み立てる際に、両分割ケース間１Ａ，１ＢにケーブルＣを挟み込むことを防止するためのものである。
【００２３】
図２からわかるように、前記第１突出片１１３は、第１分割ケース１Ａの端壁１１ａ，１１ｂの外面よりも板厚方向の内側に所要寸法だけ変位された状態で形成されている。この変位により当該端壁１１ａ，１１ｂの外面には厚み方向の段部が形成されることになる。また、このように変位させることで、当該第１突出片１１３は第２突出片１１４とは軸方向の異なる位置に配置され、第１突出片１１３は第２突出片１１４よりも軸方向の内側に配置される。
【００２４】
また、図２および図３（ｂ）からわかるように、第１突出片１１３は第１分割ケース１Ａの端壁１１ａ，１１ｂの当接部Ｔの径方向の全領域にわたって形成されておらず、外径側の部位に逃げ部１１３ａが確保されている。この逃げ部１１３ａの径方向の寸法は第２分割ケース１Ｂの周壁１１ａ，１１ｂの板厚寸法と同じ、ないしはそれよりも幾分大きな寸法である。そして、第１突出片１１３は当該逃げ部１１３ａを除く領域において先端縁の形状が概ね半円形ないし半円形を周方向に幾分細長くした形状とされている。
【００２５】
前記第２突出片１１４は、第２分割ケース１Ｂの端壁１１ａ，１１ｂの当接部Ｔの径方向の全領域にわたって形成されている。図３（ｂ）に示すように、この第２突出片１１４の先端縁の形状は、外径側の辺に沿った外径側領域Ｓｏが、内径側の辺に沿った内径側領域Ｓｉよりも周方向に突出された形状とされている。換言すれば、第２突出片１１４は、外径側領域Ｓｏの突出長さが内径側領域Ｓｉの突出長さよりも長く、前記先端縁は外径側領域Ｓｏから内径側領域Ｓｉに向けて徐々に下降するテーパ曲線形状とされている。さらにいえば、第２突出片１１４の先端縁は突出寸法の最も大きい部位Ｐが第１分割ケース１Ａに近い側に偏った位置にある。なお、この先端縁の内径側部位Ｓｉはヒンジ１３の曲げ変形点を中心とする円弧の一部で構成するようにしてもよい。
【００２６】
以上の構成のノイズ吸収装置にケーブルを装着する手順として、例えば、図４（ａ）のように、両分割ケース１Ａ，１Ｂを開いた状態とし、ケーブルＣを第１分割ケース１Ａのケーブル挿通孔となる凹部に挿通させる。このときの第１と第２の分割ケース１Ａ，１Ｂの状態は、軸方向から見たときに、第２分割ケース１Ｂのヒンジ１３に近い側の第２突出片１１４の先端縁は、その外径側領域Ｓｏが第１突出片１１３の外径側に設けた逃げ部１１３ａにまで進入された状態にある。これは成型されたコアケース１は、成型直後に両分割ケース１Ａ，１Ｂを閉じた状態、あるいはこれと近い状態にして保存しておくので、ヒンジ１３はこの状態となるように曲げられる「くせ」が付けられているからである。
【００２７】
この状態では、第２突出片１１４の先端縁の外径側部位Ｓｏが第１突出片１１３の先端縁の一部とほぼ軸方向に重なる状態である。第２突出片１１４の先端縁の形状は傾斜した曲線形状であるので、第１突出片１１３と第２突出片１１４の各先端縁がなす角度θ０は鈍角となる。これにより、細径のケーブルＣが第１と第２の突出片１１３，１１４の間、すなわち逃げ部１１３ａに進入することが防止され、第１と第２の突出片１１３，１１４の間にケーブルＣが挟み込まれることが防止される。
【００２８】
さらに第２分割ケース１Ｂを閉じて行くと、図４（ｂ）のように、第２突出片１１４は第１突出片１１３に対して重なって行くが、両突出片１１３，１１４の両先端縁が交差する箇所における両先端縁のなす角度θ０はほぼ一定の角度に保たれる。特に、第２突出片１１４の先端縁の内径側部位Ｓｉをヒンジ１３を中心とした円弧の一部で構成した場合には、この角度θ０は殆ど変化されることはない。さらに第２分割ケース１Ｂを閉じて行くと、両突出片１１３，１１４の両先端縁のなす角度θ０は徐々に増加され、第２分割ケース１Ｂが第１分割ケース１Ａに対して互いの当接部Ｔが当接される図３（ａ）の位置まで閉じられたときには、第１と第２の突出片１１３，１１４は殆どが軸方向に重なる状態となる。このとき、第１突出片１１３は第２分割ケース１Ｂの端壁１１ａ，１１ｂと分割コア２Ｂとの間隙ｄに進入されるため、当該第１突出片１１３が第１分割ケース１Ｂの回動方向を規制するガイドとなり、スムーズな回動操作が可能になる。
【００２９】
このように、第１と第２の分割ケース１Ａ，１Ｂを閉じる際には、第１と第２の突出片１１３，１１４の先端縁が交差する点における角度θ０は常に鈍角が保たれる。そのため、第１と第２の突出片１１３，１１４が交差している箇所に存在するケーブルＣが第１と第２の突出片１１３，１１４の間に挟み込まれることは防止される。また、第２分割ケース１Ｂが閉じられて行くのに伴って第１と第２の突出片１１３，１１４の先端縁の交差点は内径側に移動されるので、ケーブルＣを両突出片１１３，１１４で内径方向に押し出すように移動させ、ケーブルＣの挟み込み防止の効果が助長される。
【００３０】
前記したように第２分割ケース１Ｂを第１分割ケース１Ａに対して完全に閉じた状態とすることにより係合枠部１５と係合突起１４が係合され、第１と第２の分割ケース１Ａ，１Ｂは円筒容器状のコアケース１として組み立てられる。このとき、図３（ａ）に示したように、第２分割ケース１Ｂの当接部Ｔは、第１分割ケース１Ａの第１突出片１１３の外径側に形成されている逃げ部１１３ａに当接された状態となる。また、第２分割ケース１Ｂの第２突出片１１４は第１分割ケース１Ａの第１突出片１１３の外面側に形成されている段部の外面に沿った位置に収容される。
【００３１】
一方、第１分割ケース１Ａの第１突出片１１３は、第２分割ケース１Ｂの第２突出片１１４の内側において第２分割ケース１Ｂの内部、すなわち第２分割ケース１Ｂの両端壁１１ａ，１１ｂと第２分割コア２Ｂとの間隙ｄ内に収容される。このとき、第１突出片１１３は外径側に逃げ部１１３ａが形成されて先端縁が周壁１２よりも内径方向に後退されているので、第１突出片１１３の先端縁が第２分割ケース１Ｂの周壁１２の内面に衝突することはない。したがって、第２分割ケース１Ｂには、特許文献１のような相手方の突出片を収容するためのスリットを形成する必要はなく、構造の簡易化と成型の容易化が可能になる。
【００３２】
以上のように、第１分割ケース１Ａの第１突出片１１３の外径側に逃げ部１１３ａを形成することにより、第１と第２の分割ケース１Ａ，１Ｂを閉じてコアケース１を組み立てたときに、第１分割ケース１Ａと第２分割ケース１Ｂの各当接部Ｔを互いに当接することができ、第２分割ケース１Ｂに第１突出片１１３を収容するためのスリットが不要になる。
【００３３】
また、この逃げ部１１３ａを設けたことにより、第１突出片１１３と第２突出片１１４の間隔寸法が大きくなっても、第２突出片１１４の先端縁を前記したテーパ曲線状に形成しているので、図４（ａ）に示したように、当該間隔寸法を実質的に零にでき、ケーブルＣの挟み込みを確実に防止することができる。
【００３４】
この実施形態では、図５に要部を拡大図示するように、両分割ケース１Ａ，１Ｂの初期状態における開いた角度θ１が１００〜１２０度程度であり、この角度θ１でもケーブルの挟み込みを防止することができる。因みに、第１と第２の突出片１１３，１１４が、図５に鎖線で示す特許文献１のような半円形状であると、両突出片１１３，１１４の先端縁が重なってケーブルの挟み込みを防止することが可能な開き角度θ２は１００度以下であり、この点からも実施形態のノイズ吸収装置におけるケーブル挟み込み防止効果が高いことがわかる。
【００３５】
実施形態では、第２分割ケース１Ｂに第１突出片１１３を収容するためのスリットを形成していないので第１突出片１１３に逃げ部１１３ａを設けているが、第２分割ケース１Ｂにスリットを形成してもよいとする場合には、第１突出片１１３に逃げ部１１３ａを設ける必要はない。この場合には、第１突出片１１３を第１分割ケースの端壁１１ａ，１１ｂの当接部Ｔの全領域にわたって形成できるので、図５に示した角度θ１よりもさらに大きい開き角度においても第２突出片１１４と第１突出片１１３の各先端縁を重ねせることができ、ケーブルの挟み込み防止効果をさらに高めることができる。
【００３６】
実施形態においては、第２突出片１１４の先端縁はテーパ曲線状に形成しているが、テーパ直線状にしてもよい。あるいは、円弧の一部でテーパ曲線状に形成することも可能である。例えば、ヒンジ１３の変形部位を中心とする大径の円弧の一部でテーパ状をした先端縁を構成するようにしてもよい。
【００３７】
さらに、本発明では第２突出片はコアケース１の外面から突出するように構成してもよい。図６はこのように構成した第２の実施形態の背面図、すなわち図３とは反対側から見た図であり、前記実施形態と等価な部分には同一符号を付してある。図６（ａ）はヒンジ１３により第２分割ケース１Ｂを第１分割ケース１Ａに対して小角度だけ回動した状態であり、図６（ｂ）は両分割ケース１Ａ，１Ｂを閉じてコアケース１を組み立てた状態を示している。
【００３８】
図６（ａ）のように、この第２の実施形態では、第２突出片１１４Ａは外径側の領域、例えば第１分割ケース１Ａに近い側の第２突出辺１４Ａの場合には第１分割ケース１Ａに近い側の辺、すなわち外径側領域Ｓｏを第２分割ケース１Ｂの周面を構成している周壁１２よりも外径方向に突出させている。ここでは、第２分割ケース１Ｂの当接部Ｔから突出されている第２突出片１１４Ａの外径側領域Ｓｏを、当該第２分割ケース１Ｂの周壁１２の接線方向に向けて直線形状に形成している。さらに、この直線形状をした外径側領域Ｓｏの全体を周壁１２の外面よりも外径方向に小寸法だけ突出させている。
【００３９】
第２突出片１１４Ａをこのように構成することにより、図６（ａ）のように、第２分割ケース１Ｂを常態の角度（前記した「くせ」付けられた角度）に開いた状態では、第２突出片１１４Ａの外径側領域Ｓｏの先端は第１突出片１１３の頂部に重なる位置となり、第１突出辺１３との間に隙間が全く生じない状態となり、ケーブルＣの挟み込みを確実に防止することが可能になる。これは、図４（ａ）に示した状態よりもケーブルＣの挟み込み防止が有効であることが分かる。
【００４０】
また、この第２突出片１１４Ａの構成では、図６（ｂ）のように、両分割ケース１Ａ，１Ｂを閉じてコアケース１を組み立てたときには、合計４つの第２突出片１１４Ａの各外径側領域Ｓｏはコアケース１の外周面よりも外側に突出される。したがって、図６（ｂ）に破線で示すように、コアケース１の外周面から突出した外径側領域Ｓｏを、ノイズ吸収装置のケーブル挿通穴に挿通されたケーブルＣをコアケース１に巻き付ける際のガイドとして利用でき、ケーブルＣを安定に支持する上で有効になる。
【００４１】
また、各第２突出片１１４Ａの外径側領域Ｓｏは、コアケース１のヒンジ１３と、係合突起１４および係合枠部１５と軸方向に重なる位置に位置されるので、これらヒンジ１３や係合突起１４および係合枠部１５に外力が加わることを防止し、あるいは緩和することができ、ノイズ吸収装置を外力から保護する上でも有効となる。
【００４２】
本発明においては、第１分割ケース１Ａの第１突出片１１３に設けた逃げ部１１３ａは、４つの全ての第１突出片１１３について形成している。これにより、第２分割ケース１Ｂには第１突出片１１３を収容するためのスリットは全く不要になる。
【００４３】
本発明においては、第２分割ケース１Ｂの第２突出片１１４は、ヒンジ１３に近い側の一対の第２突出片１１４の先端縁の形状をテーパ状に形成すればよく、ヒンジ１３に遠い側の一対の第２突出片１１４については先端縁を特にテーパ状としなくてもよい。なお、前記実施形態では、デザイン上の要求から全ての第２突出片１１４の先端縁の形状を統一させている。また、本発明は円筒状の容器を構成するノイズ吸収装置に限られるものではなく、矩形容器を構成するノイズ吸収装置にも適用可能である。
【産業上の利用可能性】
【００４４】
本発明は分割ケースにそれぞれ分割コアを内装し、ケーブルを挟み込むようにして分割ケースを閉じてケーブルに装着する構成のノイズ吸収装置に適用することが可能である。
【符号の説明】
【００４５】
１  コアケース
１Ａ  第１分割ケース
１Ｂ  第２分割ケース
２Ａ，２Ｂ  分割コア
１１ａ，１１ｂ  端壁
１２  周壁
１３  ヒンジ
１１３  第１突出片
１１３ａ  逃げ部
１１４  第２突出片
Ｃ  ケーブル
Ｔ  当接部
Ｓｏ  外径側部位
Ｓｉ  内径側部位
Ｐ  突出寸法の最も大きい部位
【図１】
0006472977.tif 000002
【図２】
0006472977.tif 000003
【図３】
0006472977.tif 000004
【図４】
0006472977.tif 000005
【図５】
0006472977.tif 000006
【図６】
0006472977.tif 000007